(57)【要約】バイノーラル聴覚機器システムおよび方法が提供される。バイノーラル聴覚機器システムは、左および右の聴覚機器の間でデータを送信するために用いられる通信回路を含み得る。左および右の聴覚機器は、左および右のオーディオ入力信号の両方の信号対雑音比（ＳＮＲ）の関数として、それぞれ左および右のオーディオ出力信号をそれぞれ生成するバイノーラル処理回路を含む。通信回路によって左および右の聴覚機器の間で送信されるデータは、右の聴覚機器に左のオーディオ入力信号を提供し、左の聴覚機器に右のオーディオ入力信号を提供するために用いられる。一例において、左および右の聴覚機器の間で送信されるデータは、左および右のオーディオ入力信号のＳＮＲを決定するために用いられ得るオーディオ信号を含み得る。
2008535418.tif 000002
【特許請求の範囲】
【請求項１】
左のオーディオ入力信号を受信し、左のオーディオ出力信号を生成するように構成された左の聴覚機器であって、該左のオーディオ出力信号は、聴覚機器ユーザの左耳の中に向けられ得る、左の聴覚機器と、
右のオーディオ入力信号を受信し、右のオーディオ出力信号を生成するように構成された右の聴覚機器であって、該右のオーディオ出力信号は、該聴覚機器ユーザの右耳の中に向けられ得る、右の聴覚機器と
を備え、
該左の聴覚機器と該右の聴覚機器とは、通信回路を含み、該通信回路は、該左の聴覚機器と該右の聴覚機器との間で無線でデータを送信するように構成されており、
該左の聴覚機器は、左のバイノーラル処理回路を含み、該左のバイノーラル処理回路は、該左のオーディオ入力信号、該左のオーディオ入力信号の信号対雑音比（ＳＮＲ）、および該右のオーディオ入力信号のＳＮＲの関数として、該左のオーディオ出力信号を生成するように構成されており、
該右の聴覚機器は、右のバイノーラル処理回路を含み、該右のバイノーラル処理回路は、該右のオーディオ入力信号、該左のオーディオ入力信号のＳＮＲ、および該右のオーディオ入力信号のＳＮＲの関数として、該右のオーディオ出力信号を生成するように構成されており、
該通信回路によって該左の聴覚機器と該右の聴覚機器との間で送信されるデータは、該左のオーディオ入力信号のＳＮＲを該右の聴覚機器に提供し、該右のオーディオ入力信号のＳＮＲを該左の聴覚機器に提供するために用いられる、
バイノーラル聴覚機器システム。
【請求項２】
前記左のオーディオ入力信号のＳＮＲと前記右のオーディオ入力信号のＳＮＲとは、前記左の聴覚機器と前記右の聴覚機器との間で送信されるデータに含まれる、請求項１に記載のシステム。
【請求項３】
前記左の聴覚機器と前記右の聴覚機器との間で前記通信回路によって送信されるデータは、オーディオ信号を含む、請求項１記載のシステム。
【請求項４】
前記左の聴覚機器と前記右の聴覚機器との間で前記通信回路によって送信されるデータは、前記左のオーディオ入力信号のＳＮＲと前記右のオーディオ入力信号のＳＮＲとを決定するために用いられる、請求項３に記載のシステム。
【請求項５】
前記左の聴覚機器は、前記右のオーディオ入力信号を前記通信回路を介して受信し、該右のオーディオ入力信号を用いて、前記右のオーディオ入力信号のＳＮＲを決定し、
前記右の聴覚機器は、前記左のオーディオ入力信号を前記通信回路を介して受信し、該左のオーディオ入力信号を用いて、前記左のオーディオ入力信号のＳＮＲを決定する、請求項４に記載のシステム。
【請求項６】
前記左のバイノーラル処理回路は、前記左のオーディオ入力信号、前記右のオーディオ入力信号、前記左のオーディオ信号のＳＮＲ、および前記右のオーディオ信号のＳＮＲの関数として、前記左のオーディオ出力信号を生成するように構成されており、
前記右のバイノーラル処理回路は、該左のオーディオ入力信号、該右のオーディオ入力信号、該左のオーディオ信号のＳＮＲ、および該右のオーディオ信号のＳＮＲの関数として、前記右のオーディオ出力信号を生成するように構成されている、請求項５記載のシステム。
【請求項７】
前記左のバイノーラル処理回路は、前記左のオーディオ入力信号のＳＮＲと前記右のオーディオ入力信号のＳＮＲとに基づいて、前記左のオーディオ入力信号と前記右のオーディオ入力信号とを結合して前記左のオーディオ出力信号を生成し、
前記右のバイノーラル処理回路は、該左のオーディオ入力信号のＳＮＲと該右のオーディオ入力信号のＳＮＲとに基づいて、該左のオーディオ入力信号と該右のオーディオ入力信号とを結合して前記右のオーディオ出力信号を生成する、請求項６に記載のシステム。
【請求項８】
前記左のオーディオ信号のＳＮＲと前記右のオーディオ信号のＳＮＲとは、複数の周波数バンドで計算され、前記左の聴覚機器と前記右の聴覚機器との間で送信されるデータは、該周波数バンドの各々における該左のオーディオ信号のＳＮＲと該右のオーディオ信号のＳＮＲとを提供する、請求項１に記載のシステム。
【請求項９】
左の聴覚機器と、右の聴覚機器とを含むバイノーラル聴覚機器システムにおいて、オーディオ信号を処理する方法であって、該バイノーラル聴覚機器システムは、該左の聴覚機器と該右の聴覚機器との間で情報を無線で送信するように構成されており、該方法は、
左のオーディオ入力信号を受信することと、
該左のオーディオ入力信号の信号対雑音比を決定することと、
右のオーディオ入力信号を受信することと、
該右のオーディオ入力信号の信号対雑音比を決定することと、
該左のオーディオ入力信号と該右のオーディオ入力信号との両方の信号対雑音比に基づいて、左のオーディオ出力信号を生成することと、
該左オーディオ入力信号と該右のオーディオ入力信号との両方の信号対雑音比に基づいて、右のオーディオ出力信号を生成することと
を含む、方法。
【請求項１０】
前記左の聴覚機器から前記右の聴覚機器に、前記左のオーディオ入力信号の信号対雑音比を特定するデータを送信することと、
該右の聴覚機器から該左の聴覚機器に、前記右のオーディオ入力信号の信号対雑音比を特定するデータを送信することと
をさらに包含する、請求項９に記載の方法。
【請求項１１】
前記左の聴覚機器から前記右の聴覚機器に前記左のオーディオ信号を送信することと、
前記右の聴覚機器から前記左の聴覚機器に前記右のオーディオ信号を送信することと
をさらに包含し、
前記左のオーディオ出力信号は、前記信号対雑音比の関数として、前記左の入力信号と前記右の入力信号とを結合することによって生成され、
前記右のオーディオ出力信号は、前記信号対雑音比の関数として、該左の入力信号と該右の入力信号とを結合することによって生成される、請求項９に記載の方法。
【請求項１２】
前記左の聴覚機器と前記右の聴覚機器との各々は、前記右のオーディオ入力と前記左のオーディオ入力との両方の信号対雑音比を決定する、請求項１１記載の方法。
【請求項１３】
左のオーディオ入力信号を受信する手段と、
該左のオーディオ入力信号の信号対雑音比を決定する手段と、
右のオーディオ入力信号を受信する手段と、
該右のオーディオ入力信号の信号対雑音比を決定する手段と、
該左のオーディオ入力信号と該右のオーディオ入力信号との両方の信号対雑音比に基づいて、左のオーディオ出力信号を生成する手段と、
該左のオーディオ入力信号と該右のオーディオ入力信号との両方の信号対雑音比に基づいて、右のオーディオ出力信号を生成する手段と
を備えた、バイノーラル聴覚機器システム。
【発明の詳細な説明】
【技術分野】
【０００１】
この特許文献において記述される技術は、概して聴覚機器の分野に関する。より詳細には、バイノーラル聴覚機器を実装するためのシステムおよび方法が提供される。
【背景技術】
【０００２】
無線通信回路を含む典型的な聴覚機器は、多くの不利益を含むが、それらは、本明細書で記述されるバイノーラル聴覚機器システムおよび方法によって克服される。
【発明の開示】
【課題を解決するための手段】
【０００３】
本明細書で記述される教示によると、バイノーラル聴覚機器システムおよび方法が提供される。バイノーラル聴覚機器システムは、左の聴覚機器と右の聴覚機器との間でデータを送信するために用いられる通信回路を含み得る。左の聴覚機器と右の聴覚機器とは、左のオーディオ入力信号と右のオーディオ入力信号との両方の信号対雑音比（ＳＮＲ）の関数として、それぞれ左のオーディオ出力信号と右のオーディオ出力信号とを生成するバイノーラル処理回路を含み得る。通信回路によって左の聴覚機器と右の聴覚機器との間に送信されたデータは、左のオーディオ入力信号のＳＮＲを右の聴覚機器に提供するのに用いられ得、右のオーディオ入力信号ＳＮＲを左の聴覚機器に提供するのに用いられ得る。一例において、左の聴覚機器と右の聴覚機器との間に送信されたデータは、左のオーディオ入力信号のＳＮＲと右のオーディオ入力信号のＳＮＲとを決定するのに用いられ得るオーディオ信号を含み得る。
【発明を実施するための最良の形態】
【０００４】
図１は、一例のバイノーラル聴覚機器システム１０を描写し、ここでは、データ１２は、左の聴覚機器１４と右の聴覚機器１６との間で無線リンク１８によって通信される。伝統的な聴覚機器の機能に加えて、これらの聴覚機器１４、１６は、空気媒体によって情報を送受信する通信回路を含んでいる。聴覚機器１４、１６の間で送信されたデータ１２は、例えば、制御データ、信号の値（例えば、信号対雑音比）、オーディオ信号、および／または他のデータを含み得る。聴覚機器１４、１６の間で送信されるデータ１２の大きさとタイプは、無線リンク１８のバンド幅に依存し得る。例えば、低いバンド幅の無線接続は、オーディオデータの送信をサポートし得ない。
【０００５】
動作において、左および右の聴覚機器１４、１６の間で送信されたデータ１２は、他の聴覚機器から受信された情報に基づいて、聴覚機器のオーディオ出力を動的に調整するのに用いられ得る。例えば、２つの聴覚機器を装着した聴覚障害者は、ある環境（例えば、騒々しいレストランなど）においては、一方の聴覚機器のボリュームを低くし、興味のある信号に向かう聴覚機器のボリュームを増加することがしばしば好ましいことに気付く。図１の一例のバイノーラル聴覚機器システム１０は、無線リンク１８によって送信されたデータに基づいて、聴覚機器の利得を動的に調整することによって類似の機能を自動的に行い得る。さらに、オーディオ信号が聴覚機器の間で送信された場合、一方の聴覚機器からのオーディオは、他方の聴覚機器からのオーディオと混合され得る。例えば、最良の信号対雑音比を有する信号（例えば、興味のある信号に向かう聴覚機器からの）は、両方の聴覚機器のオーディオ出力に混合され得る。
【０００６】
図２は、一例のバイノーラル聴覚機器システム２０を描き、ここでは、信号対雑音比（ＳＮＲ）データ２６、２８は、聴覚機器２２、２４の間で通信される。ＳＮＲデータ２６、２８は、それぞれの聴覚機器２２、２４によって受信されたオーディオ信号の信号対雑音比（ＳＮＲＬ、ＳＮＲＲ）を示す。聴覚機器２２、２４のそれぞれの利得は、各聴覚機器２２、２４の各々において測定されたＳＮＲ２６、２８の関数として調整され得る。すなわち、左の聴覚機器２２は、ＳＮＲＬおよびＳＮＲＲ両方の関数として左のオーディオ出力信号を生成し得、右の聴覚機器２４は、ＳＮＲＬおよびＳＮＲＲ両方の関数として右のオーディオ出力信号を生成し得る。例えば、ＳＮＲＬがＳＮＲＲに比べて低い場合、左の聴覚機器２２における利得は、減少され（または完全にオフにされ）得る。同じ例において、（より高いＳＮＲを有する）右の聴覚機器２４における利得は、変化されないままにされ得、または増加され得る。このようにして、より高いＳＮＲを有するオーディオ信号は、騒がしい環境における聴覚機器ユーザにとってより卓越され得る。
【０００７】
図３は、バイノーラル聴覚機器システム３０を描き、ここでは、オーディオデータ（ＡＵＤＩＯＬおよびＡＵＤＩＯＲ）３６、３８は、聴覚機器３２、３４の間で通信される。各聴覚機器３２、３４によって受信されたオーディオは、例えば、デジタル化され、通信リンクによって他の聴覚機器に配信され得る。一例において、オーディオ信号３６、３８は、ＳＮＲの関数として混合され得、結合されたオーディオ信号は、聴覚機器のオーディオ出力を生成するのに用いられ得る。例えば、ＡＵＤＩＯＬのＳＮＲが、ＡＵＤＩＯＲのＳＮＲに比べて低い場合、聴覚機器からのオーディオ出力の一方または両方は、ＡＵＤＩＯＬおよびＡＵＤＩＯＲをＡＵＤＩＯＲをより卓越させて、混合することによって生成され得る。別の例において、より高いＳＮＲを有するオーディオ信号（ＡＵＤＩＯＬおよびＡＵＤＩＯＲ）が、両方の聴覚機器３２、３４からの出力として提供され得る（例えば、より低いＳＮＲを有するオーディオ信号の利得は、ゼロに減少され得る）。このようにして、より高いＳＮＲを有するオーディオ信号は、聴覚機器ユーザに対して両耳に提供され得る。
【０００８】
一例において、バイノーラル聴覚機器システムは、複数の動作モードの間で、例えば、図２および図３において図示された動作の間で切り替わるように構成され得る。例えば、動作の一方のモードにおいて、バイノーラル聴覚機器システムは、聴覚機器の間で全部のオーディオを送信し得る（例えば、図３）一方、動作の他方のモードにおいて、バイノーラル聴覚機器システムは、ＳＮＲデータを送信し得、全部のオーディオを送信し得ない（例えば、図２）。聴覚機器システムは、例えば、電力を保存するために、動作のモードの間で切り替わり得る。例えば、ユーザ入力は、バイノーラル聴覚機器の間で通信され得（例えば、制御信号の形で）、聴覚機器に動作モードを切り替えさせる。
【０００９】
図４は、一例の聴覚機器４０のブロック図であり、該聴覚機器４０は、バイノーラル聴覚機器システムに用いられ得る。聴覚機器４０は、聴覚機器回路４２、アンテナ４８、受信器（すなわち、スピーカ）５０、および１つ以上のマイク５２を含んでいる。聴覚機器回路４２は、ＲＦ通信モジュール４４および聴覚機器モジュール４６を含み、それらは、１つ以上のプリント回路基板、薄膜回路、厚膜回路、または他のタイプの回路上に構成され得、これらの回路は、聴覚機器のシェル内に適合する大きさにされ得る。一つの追加の例において、ＲＦ通信モジュール４４は、聴覚機器４０に対して外部アタッチメントの中に含まれ得る。アンテナ４８は、低電力のミニチアアンテナであり得、例えば、「Ａｎｔｅｎｎａ  Ｆｏｒ  Ａ  Ｗｉｒｅｌｅｓｓ  Ｈｅａｒｉｎｇ  Ａｉｄ  Ｓｙｓｔｅｍ」という名称が付けられた、共同所有された米国特許出願第１０／９８６、３９４号に記述されているアンテナなどであり、該出願は、本明細書に参照により援用される。
【００１０】
通信モジュール４４は、例えば別の聴覚機器との双方向通信のために送信器回路と受信器回路との両方を含み得る。聴覚機器モジュール４６は、本明細書で記述されるバイノーラル処理機能とともに、聴覚機器ユーザの聴覚障害を補うための伝統的な聴覚機器処理機能を行い得る。聴覚機器モジュール４６は、また、他の信号処理機能、例えば、指向性の処理、閉鎖音キャンセル（ｏｃｃｕｌｕｓｉｏｎ  ｃａｎｃｅｌｌａｔｉｏｎ）、またはその他などを行い得る。バイノーラル処理機能に加えて、聴覚機器モジュール１２によって実行され得る聴覚機器処理および他の信号処理機能の例は、「Ｄｉｇｉｔａｌ  Ｈｅａｒｉｎｇ  Ａｉｄ  Ｓｙｓｔｅｍ」という名称が付けられた、共同所有された米国特許出願第１０／１２１，２２１号において提供され、該出願は、本明細書に参照により援用される。
【００１１】
図５は、バイノーラル聴覚機器システム６０の機能図である。システム６０は、左の聴覚機器前処理６２、右の聴覚機器前処理６４、バイノーラル聴覚機器処理、右および左のマイク６７、６９、ならびに左および右の受信器６８、７０を含んでいる。左および右の聴覚機器前処理機能６２、６４は、左および右の聴覚機器の回路それぞれによって行われ得る。バイノーラル聴覚機器処理６６は、例えば、図１において図示されるように、左および右の聴覚機器の間の通信リンクによって可能にされる。バイノーラル聴覚機器処理機能６６は、左および右の聴覚機器の両方における回路によって行われ得る。
【００１２】
動作において、オーディオ入力信号７２、７４は、左および右の聴覚機器マイク６７、６９によって受信され、受信されたオーディオは、６２、６４の処理がなされて、左および右のデジタルオーディオ信号７８、８２（ＡＵＤＩＯＬおよびＡＵＤＩＯＲ）を生成し、信号対雑音比７６、８０（ＳＮＲＬおよびＳＮＲＲ）を決定する。バイノーラル聴覚機器処理機能（ｆＬおよびｆＲ）は、次いで、左および右のオーディオ出力信号（ＲＥＣＥＩＶＥＲＬ、ＲＥＣＥＩＶＥＲＲ）を生成するために、デジタルオーディオ信号（ＡＵＤＩＯＬおよびＡＵＤＩＯＲ）および信号対雑音比（ＳＮＲＬおよびＳＮＲＲ）を用いて行われ、左および右のオーディオ出力信号（ＲＥＣＥＩＶＥＲＬ、ＲＥＣＥＩＶＥＲＲ）は、受信器６８、７０によって聴覚機器ユーザに送信される。
【００１３】
左および右の聴覚機器前処理機能６２、６４は、アナログからデジタルへの変換、フィルタリング、指向性処理、および／またはデジタルオーディオ信号７８、８２（ＡＵＤＩＯＬおよびＡＵＤＩＯＲ）を生成するための他のデジタル信号処理機能を含み得る。加えて、受信されたオーディオ信号は、さらに、６２、６４の処理がなされて、それらの信号対雑音比（ＳＮＲＬおよびＳＮＲＲ）を決定する。信号対雑音比（ＳＮＲＬおよびＳＮＲＲ）は、デジタルオーディオ信号（ＡＵＤＩＯＬおよびＡＵＤＩＯＲ）のあらゆるサンプルで更新され得、あるいは、処理電力を保存するために、より低いレート（例えば、１０回毎に）で計算され得る。
【００１４】
バイノーラル聴覚機器処理機能（ｆＬおよびｆＲ）６６は、信号対雑音比（ＳＮＲＬおよびＳＮＲＲ）の関数としてオーディオ出力信号（ＲＥＣＥＩＶＥＲＬ、ＲＥＣＥＩＶＥＲＲ）を生成する。聴覚機器の間で通信リンクを横切って信号対雑音比（ＳＮＲＬおよびＳＮＲＲ）を通信することによって、オーディオ出力信号（ＲＥＣＥＩＶＥＲＬ、ＲＥＣＥＩＶＥＲＲ）の利得は、ＳＮＲＬおよびＳＮＲＲ両方の関数として調整され得る。これは、数学的に次のように表される。
【００１５】
【数１】
2008535418.tif 000003
全オーディオが、通信リンクによって左および右の聴覚機器の間で送信される場合、オーディオ出力信号（ＲＥＣＥＩＶＥＲＬ、ＲＥＣＥＩＶＥＲＲ）は、パラメータとして信号対雑音比（ＳＮＲＬおよびＳＮＲＲ）を用いて、デジタルオーディオ信号（ＡＵＤＩＯＬおよびＡＵＤＩＯＲ）を混合することによって生成され得る。この場合、バイノーラル聴覚機器処理機能（ｆＬおよびｆＲ）は、数学的に混合関数として表され得る。
【００１６】
【数２】
2008535418.tif 000004
全オーディオ送信の場合、混合関数（ｆＬおよびｆＲ）は、次のように２×４行列に変形され得る。
【００１７】
【数３】
2008535418.tif 000005
ここで、係数ａ１１、ａ１２、ａ２１、ａ２２は、信号対雑音比ＳＮＲＲおよびＳＮＲＬに基づいて計算される。
【００１８】
図６は、一例のバイノーラル聴覚機器９２を描くブロック図である。図示された例９２は、右の聴覚機器９２を示し、それは、バイノーラル聴覚機器システムにおける一対の右および左の聴覚機器に含まれ得る。一例の聴覚機器９２は、ＳＮＲ見積もり回路９６、バイノーラル聴覚機器処理器９４、受信器９８、マイク１００、および通信回路１０２を含む。ＳＮＲ見積もり回路９６およびバイノーラル聴覚機器処理器９４が、例えば、１つ以上の離散回路構成要素、ＡＳＩＣ、処理デバイス（例えば、マイクロプロセッサ、デジタル信号処理器（ＤＳＰ）など）、またはそれらの組み合わせを用いて実装され得る。通信回路１０２は、例えば、１つ以上のアンテナ、ならびに別の聴覚機器との双方向通信のための送信器回路および受信器回路を含み得る。
【００１９】
動作において、聴覚機器９２は、マイク１００を介してオーディオ信号１０４を受信し、左の聴覚機器からデータ１０６も受信し、該左の聴覚機器は、左の聴覚機器へのオーディオ入力の信号対雑音比（ＳＮＲＬ）を特定する。オーディオ入力信号１０４は、ＳＮＲ見積もり回路９６に入力され、ＳＮＲ見積もり回路９６は、その信号対雑音比（ＳＮＲＲ）を決定する。オーディオ信号１０４およびＳＮＲＲは、左の聴覚機器からのＳＮＲＬ１０６と一緒に、バイノーラル聴覚機器処理器９４に入力される。バイノーラル聴覚機器処理器９４は、ＳＮＲＲおよびＳＮＲＬに基づいてオーディオ入力信号１０４の利得を調整して、受信器９８へのオーディオ出力信号を生成する。加えて、バイノーラル聴覚機器処理器９４は、オーディオ入力信号１０４を処理して、聴覚機器ユーザの聴覚障害を補い、かつ／または他の信号処理機能を行い得る。
【００２０】
図７は、別の例のバイノーラル聴覚機器１１２を描くブロック図である。例の聴覚機器１１２は、２つのＳＮＲ見積もり回路１１６、１１８、バイノーラル聴覚機器処理器１１４、受信器１２０、マイク１２６、および通信回路１２４を含む。ＳＮＲ見積もり回路１１６、１１８、およびバイノーラル聴覚機器処理器１１４は、例えば、１つ以上の離散回路構成要素、ＡＳＩＣ、処理デバイス（例えば、マイクロプロセッサ、デジタル信号処理器（ＤＳＰ）等）、またはそれらの組み合わせを用いて実装され得る。通信回路１２４は、例えば、別の聴覚機器との双方向通信のための１つ以上のアンテナ、送信器回路、および受信器回路を含み得る。
【００２１】
この例１１２では、図示された聴覚機器は、バイノーラル聴覚機器システムにおいて他の聴覚機器からオーディオ信号１２８を受信し、ＳＮＲ見積もり回路１１６、１１８は、左および右のオーディオ信号１２６、１２８の信号対雑音比（ＳＮＲＲおよびＳＮＲＬ）を特定する。バイノーラル聴覚機器処理器１１４は、次いで、両方の信号対雑音比（ＳＮＲＲおよびＳＮＲＬ）と、左および右のオーディオ信号１２６、１２８との関数として、受信器１２０へのオーディオ出力を生成する。例えば、オーディオ信号１２６、１２８は、それらのＳＮＲ（ＳＮＲＲおよびＳＮＲＬ）の関数としてバイノーラル聴覚機器処理器１１４によって混合され、結合されたオーディオ信号は、受信器１２０へのオーディオ出力を生成するために用いられ得る。
【００２２】
図６および７は、例の目的のために、右の聴覚機器における回路を図示していることを理解するべきである。バイノーラル聴覚機器システムにおいて、類似の回路は、左の聴覚機器にも含まれ得る。
【００２３】
図２および５−７の図示された例は、単一のＳＮＲ値（ＳＮＲＬおよびＳＮＲＲ）が計算され、無線で各聴覚機器から送信されることを示している。しかしながら、一部の例において、１つより多いＳＮＲ値が用いられることが理解されるべきである。例えば、聴覚機器は、多数の狭いバンドでオーディオ信号を処理し得（例えば、一部の聴覚機器は、１２８バンドを有する）、これらのバンドの各々のＳＮＲは、計算され、無線リンクによって送信され得る。
【００２４】
図８は、通信回路のより詳細な例を示す一例の聴覚機器２００のブロック図である。該一例の聴覚機器２００は、ＲＦ通信モジュール２１２、聴覚機器処理器２１４、アンテナ２１６、１つ以上の聴覚機器マイク２１８、聴覚機器スピーカ２２０、および１つ以上の外部構成要素２２２（例えば、抵抗性および誘導性回路要素、フィルタ、発振器など）を含む。図示されるように、ＲＦ通信モジュール２１２および聴覚機器処理器２１４は、単一の集積回路上に各々実装され得るが、他の例において、複数の集積回路および／または外部回路構成要素を含み得る。
【００２５】
ＲＦ通信モジュール２１２は、ベースバンド処理器２４０および通信回路を含む。通信回路は、送信経路および受信経路を含む。受信経路は、低雑音増幅器（ＬＮＡ）２２４、下方変換直交混合器２２６、２２８、バッファ増幅器２２６、２２８、Ｉ−Ｑイメージリジェクトフィルタ２３４、およびスライサ２３６、２３８を含む。送信経路は、変調器２４１、上方変換直交混合器２４２、２４４、および電力増幅器２４６を含む。受信経路および送信経路は、ベースバンド処理器２４０およびクロック合成回路２４８、２５０、２５２によってサポートされ制御される。クロック合成回路は、発振器２４８、位相ロックループ回路２５０、および制御器２５２を含む。発振器２４８は、例えば、オフチップ高Ｑ共振器（例えば、水晶または同等の物）２２２を用い得る。位相ロックループ回路２５０の周波数は、制御器２５２によって設定され、動作周波数チャンネルと周波数バンドを制御する。制御器２５２は、例えば、システムの動作周波数チャンネルおよび／または周波数バンドを選択し得る。また、ＲＦ通信モジュール２１２には、サポートブロック２５４が含まれ、サポートブロック２５４は、電圧および電流リファレンス、トリミング構成要素、バイアス生成器、および／または送受信器回路の動作をサポートするための他の構成要素を含み得る。
【００２６】
動作において、アンテナ２１６によって受信された信号は、ＬＮＡ２２４によって増幅され、下方変換混合器２２６、２２８に供給されて、所望のＲＦバンドを複合信号に変える。下方変換混合器２２６、２２８の出力は、次いでバッファリング２３０、２３２され、イメージリジェクトフィルタ２３４およびスライサ２３６、２３８によってフィルタリングされ、ベースバンド処理器２４０に入力される。ベースバンド処理器２４０は、ベースバンド処理機能、例えば、入ってくるデータストリームを同期させること、メインのペイロードおよび任意の補助データチャンネル（ＲＳＳＩおよびＡＦＣ情報）を抽出すること、ならびにデータブロックについて必要なエラー検出および訂正を行うことなどを行う。加えて、ベースバンド処理器２４０は、受信されたデータブロックを伸長／復号してオーディオ信号を抽出する。
【００２７】
出て行くオーディオ信号および／または制御信号は、ベースバンド処理器２４０によってＲＦ送信のために符号化およびフォーマットされ得る。出て行くオーディオ信号の場合、ベースバンド処理器２４０は、オーディオ圧縮機能も行う。処理された信号は、変調器２４１および上方変換混合器２４２、２４４によってＲＦ搬送波に変調される。ＲＦ信号は、次いで、電力増幅器２４６によって増幅され、アンテナ２１６によって空中媒体により送信される。
【００２８】
聴覚機器処理器２１４は、本明細書で記述されるバイノーラル処理機能とともに、聴覚機器のユーザの聴覚障害を補う伝統的な聴覚機器機能を行い得る。聴覚機器処理器２１４は、他の信号処理機能、例えば、指向性の処理、閉鎖音キャンセル、またはその他を行い得る。
【００２９】
図９は、聴覚機器のための一例のべースバンド処理器２６０の機能図である。ベースバンド処理器２６０は、受信器ベースバンド処理機能２６２、インターフェース機能２６４、および送信器ベースバンド処理機能２６６を行い得る。図示されたベースバンド処理器２６０は、２つの受信器入力、２つのインターフェース入力／出力、および２つの送信器出力を含み、これらは、図８に示されるベースバンド処理器２４０に対する入力／出力に対応する。しかしながら、他の入力／出力構成が用いられ得ることは理解されるべきである。
【００３０】
受信器ベースバンド処理機能２６２は、信号レベルベースバンド機能２６８、２７０、例えば、入ってくるデータストリームとの同期をとるための同期機能２７０、およびペイロードデータを抽出するデータ抽出機能２６８などを含む。また、受信器機能２６２には、受信されたデータブロックにおける誤りを検出して訂正する誤り検出機能２７２、および受信されたデータブロックからオーディオ信号を抽出するオーディオ伸長復号機能２７４が含まれる。
【００３１】
送信器ベースバンド処理機能２６６は、出てゆくデータをＲＦ通信プロトコルに変換するデータフォーマット２８０およびフレーム２８４機能、ならびに誤り訂正およびデータ保護のための符号化機能２８２を含む。ＲＦ通信プロトコルは、一般の制御データだけでなく高品質のオーディオデータの送信をサポートするよう選択され得、受信器による自動的な認識で可変データレートをサポートし得る。符号化機能２８２は、データの内容に基づいて保護の量を調整するように構成され得る。例えば、１００Ｈｚから８ｋＨｚまでのオーディオバンドにとってより重要であるペイロードデータの部分は、８ｋＨｚから１６ｋＨｚまでのオーディオを表すデータより、より多く保護され得る。このようにして、高品質オーディオは、より狭いバンドであるけれども、なお騒がしい環境で復元され得る。加えて、送信器処理機能２６６は、バンド幅の効率的な送信のために出て行くオーディオデータを圧縮するオーディオ圧縮機能を含み得る。
【００３２】
インターフェース機能２６４は、構成機能２７６、およびデータ／オーディオ転送機能２７８を含む。データ／オーディオ転送機能２７８は、ベースバンド処理器２６０と、他の回路構成要素（例えば、聴覚機器処理器）または外部デバイス（例えば、コンピュータ、ＣＤプレーヤー等）との間でデータを転送するために用いられ得る。構成機能２７６は、通信回路の動作を制御するために用いられ得る。例えば、構成機能２７６は、動作周波数チャンネルおよび／または周波数バンドを選択するために通信回路において制御器２５２と通信し得る。
【００３３】
この記載は、ベストモードを含んで発明を開示するために、かつ当業者が発明を製造し、使用することを可能にするために例を使用する。発明の特許可能な範囲は、当業者が想到する他の例を含む。例えば、他の実施の形態において、本明細書で記述されたバイノーラル聴覚機器システムにおける２つの聴覚機器の間のリンクは、無線リンクの代わりに有線接続であり得る。別の例において、バイノーラル聴覚機器システムにおける聴覚機器の一方は、他の聴覚機器にオーディオを送信するリモートマイクとして用いられ得る。例えば、一方の聴覚機器は、興味ある信号の近くに置かれ得、一方、他方の聴覚機器は、ユーザに装着され得る。リモート受信器として用いられる聴覚機器によって受信されたオーディオ信号は、無線リンクによって聴覚機器の間で送信され、装着された聴覚機器からユーザに出力される。
【図面の簡単な説明】
【００３４】
【図１】図１は、データが左の聴覚機器と右の聴覚機器との間で無線で通信される、一例のバイノーラル聴覚機器システムを描くブロック図である。
【図２】図２は、信号対雑音比（ＳＮＲ）データが聴覚機器の間で通信される、一例のバイノーラル聴覚機器システムを描く。
【図３】図３は、オーディオデータが聴覚機器の間で通信される、一例のバイノーラル聴覚機器システムを描く。
【図４】図４は、バイノーラル聴覚機器システムで用いられ得る、一例の聴覚機器のブロック図である。
【図５】図５は、バイノーラル聴覚機器システムの機能図である。
【図６】図６は、一例のバイノーラル聴覚機器を描くブロック図である。
【図７】図７は、別の例のバイノーラル聴覚機器を描くブロック図である。
【図８】図８は、通信回路のより詳細な例を示す、一例の聴覚機器のブロック図である。
【図９】図９は、聴覚機器のための一例のベースバンド処理器の機能図である。
【図１】
2008535418.tif 000006
【図２】
2008535418.tif 000007
【図３】
2008535418.tif 000008
【図４】
2008535418.tif 000009
【図５】
2008535418.tif 000010
【図６】
2008535418.tif 000011
【図７】
2008535418.tif 000012
【図８】
2008535418.tif 000013
【図９】
2008535418.tif 000014
【国際調査報告】
2008535418.tif 000015
2008535418.tif 000016